(57)【特許請求の範囲】
【請求項１】
円筒状に巻かれた長手の原稿を読み取ることのできる原稿読取り装置であって、
読み取られる原稿の進行方向と直交方向に延びる原稿読み取り位置と、
上記原稿読み取り位置の手前側に設けられ、その原稿読み取り位置へと原稿を案内するためのガイド台と、
上記ガイド台上に設けられ、上記原稿読み取り位置へ送る原稿の進行方向と直交する幅方向の原稿位置を規制するために、上記ガイド台上を幅方向にスライド移動可能な左右一対の幅規制板と、
上記ガイド台の手前側に、そのガイド台よりも低い位置に備えられ、上記ガイド台上に引き出される原稿の円筒状に巻かれた部分を受け止める一対の保持部材であって、上記幅規制板に連結され、その幅規制板の幅方向への移動と共に幅方向へ移動する一対の保持部材と、
を有し、
上記保持部材は、原稿の円筒状に巻かれた部分を受け止める第一の態様と、ガイド台の手前下方へ出っ張らないように収納された第二の態様とに変化可能であることを特徴とする原稿読取り装置。
【発明の詳細な説明】
【０００１】
【発明の属する技術分野】
この発明は、複写機、プリンタ、ファクシミリ等に用いられる原稿読取り装置に関し、特に、円筒状に巻かれた長手の原稿を読み取ることのできる原稿読取り装置に関する。
【０００２】
【従来の技術】
たとえば、日本工業規格（ＪＩＳ）のＡ列０番（以下、「Ａ０」という。）といったサイズの幅広の用紙に画像を形成することができる画像形成装置が、従来から知られており、この種の画像形成装置には、Ａ０サイズといった原稿の画像を読み取ることができる原稿読取り装置が備えられている。
Ａ０サイズの原稿は、幅がおよそ８４０ｍｍ程度、長さがおよそ１２００ｍｍ程度のシート状であり、原稿読取り装置は、たとえば原稿の幅方向と直交する方向（原稿の進行方向）に原稿を読み取るように、原稿の幅方向に延びる原稿読取り位置を有している。この原稿読取り位置の手前側（原稿の進行方向上流側）には、原稿読取り位置へ原稿を案内するガイド台が設けられている。
【０００３】
この種の原稿読取り装置では、Ａ０サイズの幅広の原稿以外にも、たとえば特殊な図面で、幅が２１０ｍｍ、長さが１０００ｍｍ以上になる長手の原稿を読み取る場合がある。Ａ０サイズのような大きな原稿や、幅が狭くても上述のような長手の原稿は、広げたままの状態では持ち運びや原稿読取り位置への案内等が不便であるので、通常、円筒状に巻かれている。そして、原稿読取装置には、原稿の円筒状に巻かれた部分を受け止めるための一対の保持部材が備えられているものがあった。
【０００４】
【発明が解決しようとする課題】
ところが、従来の保持部材は、たとえば案内される原稿の最小幅である２１０ｍｍの原稿幅に合わせて固定されていた。このため、保持部材の間隔が狭く、たとえばＡ０サイズの幅広の原稿の受け止めが不安定であった。かといって、保持部材を増設したりするのは、部品点数の増加を招き、好ましくない。
この発明は、かかる背景の下になされたものであり、その目的は、原稿を安定して保持できる保持部材を備えた原稿読取り装置を提供することである。
【０００５】
【課題を解決するための手段および発明の効果】
上記の目的を達成するための請求項１記載の発明は、円筒状に巻かれた長手の原稿（Ｄ）を読み取ることのできる原稿読取り装置（３）であって、読み取られる原稿の進行方向と直交方向に延びる原稿読み取り位置と、上記原稿読み取り位置の手前側に設けられ、その原稿読み取り位置へと原稿を案内するためのガイド台（１６）と、上記ガイド台上に設けられ、上記原稿読み取り位置へ送る原稿の進行方向と直交する幅方向の原稿位置を規制するために、上記ガイド台上を幅方向にスライド移動可能な左右一対の幅規制板（１７Ｌ，１７Ｒ）と、上記ガイド台の手前側に、そのガイド台よりも低い位置に備えられ、上記ガイド台上に引き出される原稿の円筒状に巻かれた部分を受け止める一対の保持部材（４０Ｌ，４０Ｒ）であって、上記幅規制板に連結され、その幅規制板の幅方向への移動と共に幅方向へ移動する一対の保持部材と、を有し、上記保持部材は、原稿の円筒状に巻かれた部分を受け止める第一の態様と、ガイド台の手前下方へ出っ張らないように収納された第二の態様とに変化可能であることを特徴とする原稿読取り装置である。なお、括弧内の英数字は、後述の実施形態における対応構成要素等を表す。以下、この項において同じ。
【０００６】
上記の構成によれば、保持部材が、幅規制板に連結して設けられているので、幅規制板が幅方向の原稿位置を規制すると共に、保持部材が、原稿読取り位置に案内される原稿の幅に適した位置になる。そのため、原稿読取り位置に原稿が案内される際、原稿の保持が不安定にならず、保持部材から原稿が脱落するおそれがない。これにより、原稿の幅に適した幅で原稿を安定して保持できる保持部材を備えた原稿読取り装置を提供することができる。
【０００７】
また、幅規制板に連結して設けられた保持部材には、原稿の円筒状に巻かれた部分を受け止めるための第一の態様およびガイド台の手前下方へ出っ張らないように収納された第二の態様に変化させることができる。したがって、たとえば長手の原稿が案内される際、ユーザが保持部材を第一の態様にして、ガイド台に引き出される原稿の円筒状に巻かれた部分を受け止めさせることができる。また、原稿を受け止める必要のない場合には、ユーザが保持部材を第二の態様にすることによって、保持部材を邪魔にならないように収納することができる。
【０００８】
【発明の実施の形態】
以下では、この発明の実施の形態を、添付図面を参照して詳細に説明する。
図１は、この発明の一実施形態にかかる原稿読取り装置３を備えた複写機１を正面側から見た外観斜視図である。この複写機１は、Ａ０サイズの用紙まで複写できる、いわゆる幅広タイプの複写機１である。図１において、右手前側を前方、左手奥側を後方とする。
【０００９】
複写機１は、その外形がハウジング２で区画されている。複写機１には、原稿の画像を読取るための原稿読取り装置３が備えられており、原稿読取り装置３は、原稿を搬送するためにハウジング２の上面２１に取り付けられた原稿搬送装置３０を含む。
原稿搬送装置３０は、原稿の画像を読み取るために、原稿の進行方向と直交する方向（原稿の幅方向）に延びる原稿読取り位置を有していて、原稿搬送装置３０の底面側とハウジング２の上面２１側との間に原稿が搬送された際に、原稿の画像が読み取られるようになっている。原稿搬送装置３０の手前側（複写機１の正面側）のハウジング２の上面２１は、置かれた原稿を原稿読み取り位置へ案内するためのガイド台１６をなしている。
【００１０】
ガイド台１６には、原稿読み取り位置へ案内される原稿が進行する方向と直交する方向（原稿の幅方向）で原稿の位置を規制する左右一対の幅規制板１７Ｌ，１７Ｒが備えられている。
幅規制板１７Ｌ，１７Ｒは、ガイド台１６に対して幅方向にスライド移動可能に設けられているスライド部１９Ｌ，１９Ｒと、このスライド部１９Ｌ，１９Ｒの幅方向の外側端辺側に立設された左右一対のガイド板１８Ｌ，１８Ｒを有している。したがって、スライド部１９Ｌ，１９Ｒが原稿の幅方向に変位されると、ガイド板１８Ｌ，１８Ｒ同士の間隔が、Ａ０サイズといった幅広の原稿や２１０ｍｍ幅の各種原稿幅に合わせられるようになっている。これにより、幅規制板１７Ｌ，１７Ｒは、ガイド台１６上に置かれた各種原稿の幅に合わせて幅方向にスライド移動可能になっている。また、この幅規制板１７Ｌ，１７Ｒに連結された保持部材４０Ｌ，４０Ｒが設けられている。よって、保持部材４０Ｌ，４０Ｒは、幅規制板１７Ｌ，１７Ｒの幅方向への移動と共に幅方向に移動する。
【００１１】
図２は、この発明の一実施形態にかかる原稿読取り装置３を備えた複写機１の構成を示す断面概略図である。この図２において、上述の図１に示された各部位と同様の構成を有する部位には、図１の場合と同一の参照符号を付す。
複写機１は、原稿読取り装置３で読み取られた原稿の画像に基づいて画像形成される用紙を収容するための用紙収容部８、用紙を搬送するための用紙搬送経路５、読み取られた原稿の画像に基づくトナー像を形成し、そのトナー像を搬送されてくる用紙に転写するための画像形成部６、および用紙に転写されたトナー像を定着するための定着装置７などを備えている。
【００１２】
画像形成部６は、ハウジング２内の上部に配置されており、図２において、反時計回りに回転駆動される感光体ドラム６１を備えている。
感光体ドラム６１は、その外周面に感光層を有していて、メインチャージャ６２の放電によって一様に帯電された後、幅規制板１７Ｌ，１７Ｒに案内された原稿が、ハウジング２の上面２１と原稿搬送装置３０の底面側との間に送られた際、スキャナ３１によって読み取られた原稿の画像に基づいて、ＬＥＤプリントヘッド６３から照射された光によって露光される。これにより、感光体ドラム６１の表面には、いわゆる静電潜像が形成される。
【００１３】
静電潜像が形成された感光体ドラム６１の表面には、現像装置６４によってトナーが付着され、トナー像が形成される。このトナー像形成動作に合わせて、用紙が、用紙収容部８から用紙搬送経路５を通って搬送される。
搬送されてきた用紙は、トナー像の形成された感光体ドラム６１表面に接し、転写装置６５の放電によってトナー像が転写される。トナー像が転写された用紙は、定着装置７へと導かれ、この定着装置７によって定着処理がなされた後、排出ローラ１２によってハウジング２外部に排出される。
【００１４】
ハウジング２の上部にあるガイド台１６は、その先端部が湾曲して設けられている。このガイド台１６よりも低い位置には、幅規制板１７Ｌ，１７Ｒに連結された保持部材４０Ｌ，４０Ｒが設けられており、保持部材４０Ｌ，４０Ｒは、ガイド台１６に引き出された原稿の円筒状に巻かれた部分を保持できるようになっている。
図３は、保持部材４０Ｌ，４０Ｒの一例を図解的に示す拡大概略側面図である。この図３において、上述の図２に示された各部位と同様の構成を有する部位には、図２の場合と同一の参照符号を付す。
【００１５】
保持部材４０Ｌ，４０Ｒは、幅規制板１７Ｌ，１７Ｒに連結して設けられており、所定の幅（たとえば１００ｍｍ程度）を有する１枚の板状体で、たとえば樹脂で一体的に形成されている。保持部材４０Ｌ，４０Ｒは、その上方側の一方端部側が直角に折り曲げられ、下方側の他方端部側は、下方に向く凸形状の湾曲面４１１Ｌ，４１１Ｒにされている。この保持部材４０Ｌ，４０Ｒの上方側の直角に折り曲げられた部分４２１Ｌ，４２１Ｒは、ガイド台１６の手前側表面に沿って湾曲されたスライド部１９Ｌ，１９Ｒの端部と連結されている。また、保持部材４０Ｌ，４０Ｒの下方側の湾曲面４１１Ｌ，４１１Ｒは、ガイド台１６に引き出される原稿Ｄの円筒状に巻かれた部分を受け止めることができるようになっている。
【００１６】
ガイド台１６の下方で、ガイド台１６とスライド部１９Ｌ，１９Ｒとの間には、ガイド台１６の幅方向に延びる軸２５が配設されており、軸２５の両端部は、ガイド台１６に固定された支持板２４Ｌ，２４Ｒで軸支されている。軸２５には、軸２５方向に移動自在なスライド板２３Ｌ，２３Ｒが設けられている。
スライド板２３Ｌ，２３Ｒは、ガイド台１６と反対側の下方端部がＬ字状に折り曲げられている。スライド板２３Ｌ，２３ＲのＬ字状に折り曲げられた部分２３１Ｌ，２３１Ｒは、ガイド台１６の下方に位置するスライド部１９Ｌ，１９Ｒの端部と、さらに保持部材４０Ｌ，４０Ｒの上方側の直角に折り曲げられた部分４２１Ｌ，４２１Ｒと連結されている。したがって、スライド板２３Ｌ，２３Ｒが軸２５方向に移動することによって、幅規制板１７Ｌ，１７Ｒのスライド部１９Ｌ，１９Ｒが軸２５方向にスライド移動する。これにより、ガイド板１８Ｌ，１８Ｒの間隔が、ガイド台１６上に送り出される原稿の幅に合わせられると共に、保持部材４０Ｌ，４０Ｒ同士の間隔がガイド台１６に送り出される原稿の幅に合わせられる。つまり幅規制板１７Ｌ，１７Ｒは、ガイド台１６の上面で、ガイド台１６の幅方向にスライドし、原稿Ｄの左右の位置を位置決めするが、幅規制板１７Ｌ，１７Ｒのスライド移動の機構は、ガイド台１６の下面に設けられた軸２５とガイド板１８Ｌ，１８Ｒとによって実現されている。そして、この幅規制板１７Ｌ，１７Ｒに保持部材４０Ｌ，４０Ｒが取り付けられているから、ガイド台１６に送り出される原稿Ｄの円筒状に巻かれた部分は、原稿Ｄの幅に合わせて保持部材４０Ｌ，４０Ｒの湾曲面４１１Ｌ，４１１Ｒに受け止められて、原稿Ｄが安定に保持される。そのため、長手の原稿が送り出される際に、原稿Ｄの円筒状に巻かれた部分が脱落するおそれはない。
【００１７】
図４は、保持部材４０２Ｌ，４０２Ｒのその他の例を図解的に示す拡大概略側面図である。この図４において、上述の図３に示された各部位と同様の構成を有する部位には、図３の場合と同一の参照符号を付す。
保持部材４０２Ｌ，４０２Ｒは、幅規制板１７Ｌ，１７Ｒに連結して設けられており、たとえば樹脂で一体的に形成されている。
前述した保持部材４０Ｌ，４０Ｒは、スライド部１９Ｌ，１９Ｒに固定されていたが、たとえば、この図４に示す保持部材４０２Ｌ，４０２Ｒのように、保持部材４０２Ｌ，４０２Ｒがスライド部１９Ｌ，１９Ｒに対して前後方向にスライド移動できるようになっていてもよい。
【００１８】
すなわち、ガイド台１６の手前側表面に沿って湾曲形成されたスライド部１９Ｌ，１９Ｒにおいて、ガイド台１６の下方に位置するスライド部１９Ｌ，１９Ｒの端部から手前側の湾曲部までのスライド部１９Ｌ，１９Ｒの軸２５方向の断面形状が、たとえばエ状のレール形状に形成されている場合、保持部材４０２Ｌ，４０２Ｒの上方側の直角に折り曲げられた部分４２２Ｌ，４２２Ｒが、このエ状のレール形状に形成されたスライド部１９Ｌ，１９Ｒに引っ掛けることができる形状で形成されていることによって、保持部材４０２Ｌ，４０２Ｒがスライド部１９Ｌ，１９Ｒに対して前後方向にスライド移動できるようになっていてもよい。
【００１９】
したがって、ガイド台１６に対して、保持部材４０２Ｌ，４０２Ｒが最も前方の位置（図４における実線の位置）から、後方へ押し込むようにスライド移動されると、保持部材４０２Ｌ，４０２Ｒは、図４において点線に示す位置になる。また、図４における点線で示す位置から、ガイド台１６に対して保持部材４０２Ｌ，４０２Ｒを前方へ引き出すようにスライド移動させると、図４において実線で示す位置になる。つまり、ユーザが保持部材４０２Ｌ，４０２Ｒを使用しない場合には、図４における点線の位置で、保持部材４０２Ｌ，４０２Ｒを収納することができ、図４における実線の位置では、ガイド台１６上に引き出される長手の原稿Ｄの円筒状に巻かれた部分を受け止める態様にすることができる。
【００２０】
これにより、ユーザの必要に応じて保持部材４０２Ｌ，４０２Ｒを後方にスライド移動させて収納したり、前方にスライド移動して原稿Ｄの円筒状に巻かれた部分を保持できる態様に変化させることができる。さらに、保持部材４０２Ｌ，４０２Ｒは、各種サイズの原稿Ｄの幅に適した幅で原稿Ｄを安定して保持することができるから、保持部材４０２Ｌ，４０２Ｒから原稿Ｄが脱落するおそれはない。
【００２１】
図５は、保持部材４０３Ｌ，４０３Ｒのその他の例を図解的に示す拡大概略側面図である。この図５において、上述の図３に示された各部位と同様の構成を有する部位には、図３の場合と同一の参照符号を付す。
保持部材４０３Ｌ，４０３Ｒは、幅規制板１７Ｌ，１７Ｒに連結して設けられており、たとえば樹脂で形成されている。
前述した保持部材４０２Ｌ，４０２Ｒは、スライド部１９Ｌ，１９Ｒに対して前後方向にスライド移動するように形成されていたが、たとえば、この図５に示す保持部材４０３Ｌ，４０３Ｒのように、保持部材４０３Ｌ，４０３Ｒの上方側の直角に折り曲げられた部分４２３Ｌ，４２３Ｒに回転軸５１Ｌ，５１Ｒを設けることによって、保持部材４０３Ｌ，４０３Ｒが所定の回転角度位置まで回転できるようにして、ユーザの必要に応じた態様にすることができるようになっていてもよい。
【００２２】
回転軸５１Ｌ，５１Ｒは、保持部材４０３Ｌ，４０３Ｒの上方側の直角に折り曲げられた部分４２３Ｌ，４２３Ｒの後方端辺側に備えられており、さらに、ガイド台１６の下方のスライド部１９Ｌ，１９Ｒに固定されている。回転軸５１Ｌ，５１Ｒを中心にして、保持部材４０３Ｌ，４０３Ｒを図５に示す実線の位置から、たとえば時計回りに回転すると、保持部材４０３Ｌ，４０３Ｒの湾曲面４１３Ｌ，４１３Ｒが形成する凸形状が後方に向く位置（図５における点線の位置）で回転が停止される。また、この位置から、回転軸５１Ｌ，５１Ｒを中心にして、たとえば反時計回りに回転すると、保持部材４０３Ｌ，４０３Ｒの湾曲面４１３Ｌ，４１３Ｒが形成する凸形状が下方に向かう位置（図５における実線の位置）で回転が停止される。
【００２３】
これにより、ユーザが、保持部材４０３Ｌ，４０３Ｒを幅規制板１７Ｌ，１７Ｒに対して所定の回転角度位置（図５における点線の状態）まで回転することによって、邪魔にならないように保持部材４０３Ｌ，４０３Ｒを収納することができ、さらに、その位置から所定の回転角度位置（図５における実線の状態）まで回転することによって、長手の原稿Ｄの円筒状に巻かれた部分を受け止める態様にすることができる。また、保持部材４０３Ｌ，４０３Ｒは、各種サイズの原稿Ｄの幅に適した幅で原稿Ｄを安定して保持することができるから、保持部材４０３Ｌ，４０３Ｒから原稿Ｄが脱落するおそれはない。
【００２４】
図６は、保持部材４０４Ｌ，４０４Ｒのその他の例を図解的に示す拡大概略側面図である。図６（ａ）は、保持部材４０４Ｌ，４０４Ｒが収納された態様を示す概略側面図であり、図６（ｂ）は、保持部材４０４Ｌ，４０４Ｒの原稿の保持が可能な態様を示す概略側面図である。この図６において、上述の図３に示された各部位と同様の構成を有する部位には、図３の場合と同一の参照符号を付す。この図６に示す保持部材４０４Ｌ，４０４Ｒのように、スライド部１９Ｌ，１９Ｒに対して、保持部５３Ｌ，５３Ｒが、所定の回転角度位置まで回転されることにより、ガイド台１６に引き出される原稿の円筒状に巻かれた部分を受け止めることができ、その位置から所定の回転角度位置まで回転されることにより、円筒状に巻かれた原稿を受け止めない態様にすることができるものでもよい。
【００２５】
この保持部材４０４Ｌ，４０４Ｒは、たとえば樹脂で形成されていて、スライド部１９Ｌ，１９Ｒの先端に原稿を保持する保持部５３Ｌ，５３Ｒを有している。
スライド部１９Ｌ，１９Ｒの先端は、その上方半分が前方に向いた凸形状に形成されていて、スライド部１９Ｌ，１９Ｒの下方半分には、凹形状の湾曲面１９ａが形成されている。
【００２６】
図６（ａ）において、このスライド部１９Ｌ，１９Ｒの先端を覆うように保持部５３Ｌ，５３Ｒが備えられており、保持部５３Ｌ，５３Ｒの側面形状は、ほぼ半円状にされている。保持部５３Ｌ，５３Ｒの一方端部には、固定部５４Ｌ，５４Ｒが設けられており、保持部５３Ｌ，５３Ｒの一方端部側が、スライド部１９Ｌ，１９Ｒの先端部下側と接続されている。また、保持部５３Ｌ，５３Ｒとスライド部１９Ｌ，１９Ｒとの接続部には、回転軸５２Ｌ，５２Ｒが備えられている。これにより、保持部５３Ｌ，５３Ｒは、回転軸５２Ｌ，５２Ｒを中心に所定量の回転角度位置まで回転させることができるようになっている。
【００２７】
すなわち、回転軸５２Ｌ，５２Ｒを中心にして、保持部５３Ｌ，５３Ｒが、図６（ａ）に示す状態から時計回りに回転されると、保持部５３Ｌ，５３Ｒの端部に形成された固定部５４Ｌ，５４Ｒがスライド部１９Ｌ，１９Ｒの下面側と接触して保持部５３Ｌ，５３Ｒの回転が停止され、図６（ｂ）に示す状態となる。また、回転軸５２Ｌ，５２Ｒを中心にして、保持部５３Ｌ，５３Ｒが、図６（ｂ）に示す状態から反時計回りに回転されると、保持部５３Ｌ，５３Ｒがスライド部１９Ｌ，１９Ｒの先端部を覆う状態（図６（ａ）に示す状態）で、保持部５３Ｌ，５３Ｒの回転が停止される。
【００２８】
したがって、保持部５３Ｌ，５３Ｒが、図６（ｂ）に示す状態にされると、保持部５３Ｌ，５３Ｒの湾曲内面５３ａとスライド部１９Ｌ，１９Ｒの先端に形成された凹形状の湾曲面１９ａとで形成される湾曲面４１４Ｌ，４１４Ｒでは、ガイド台１６上に引き出された原稿の円筒状に巻かれた部分を受け止めることができる。また、保持部５３Ｌ，５３Ｒが、図６（ａ）に示す状態にされると、保持部５３Ｌ，５３Ｒは、スライド部１９Ｌ，１９Ｒの先端を覆い、保持部５３Ｌ，５３Ｒが手前側に出っ張らない態様に収納される。このようにして、保持部５３Ｌ，５３Ｒを所定の回転角度位置まで回転させることによって、保持部材４０４Ｌ，４０４Ｒをユーザの使用に応じた態様に変化するようにしてもよい。これにより、ユーザが必要に応じて、保持部材４０４Ｌ，４０４Ｒの態様を変化させることができる。さらに、ガイド板１８Ｌ，１８Ｒの間隔が、ガイド台１６上に送り出される原稿の幅に合わせられると共に、保持部材４０４Ｌ，４０４Ｒは、各種サイズの原稿Ｄの幅に適した幅に合わせられるから、原稿Ｄを安定して保持することができ、保持部材４０４Ｌ，４０４Ｒから原稿Ｄが脱落するおそれはない。
【００２９】
以上、この発明にかかる原稿読取り装置に備えられる４つの保持部材の実施形態について例を挙げて説明したが、この発明は、他の実施形態にも適用することができる。たとえば、上述の実施形態において、ガイド台１６の下方で幅方向に配置された軸２５をスライド板２３Ｌ，２３Ｒが移動することによって、スライド板２３Ｌ，２３Ｒに連結された幅規制板１７Ｌ，１７Ｒのガイド台１６での幅方向への移動が達成されているとしたが、ガイド台１６の上面側で幅方向に長い凹状の溝を設けて、この凹状の溝に合う凸形状体をガイド板１８Ｌ，１８Ｒの底面側に設けることによって幅規制板１７Ｌ，１７Ｒのガイド台１６での幅方向への移動が達成されてもよい。このとき、ガイド台１６の上面側に設けられる凹状の溝およびガイド板１８Ｌ，１８Ｒの底面側に設けられる凸形状体は、必ずしも四角柱の形状を有している必要はない。たとえば、ガイド台１６の上面側で幅方向に三角形状の溝が設けられた場合、この三角形状の溝に嵌めることのできる三角形状の突起がガイド板１８Ｌ，１８Ｒの底面側に設けられればよく、ガイド台１６の上面側に設けられる溝とガイド板１８Ｌ，１８Ｒの底面側に設けられる突起物が嵌合される形状であればよい。
【００３０】
その他、特許請求の範囲に記載された事項の範囲で種々の設計変更を施すことが可能である。
【図面の簡単な説明】
【図１】この発明の一実施形態にかかる原稿読取り装置を備えた複写機を正面側から見た外観斜視図である。
【図２】この発明の一実施形態にかかる原稿読取り装置を備えた複写機の構成を示す断面概略図である。
【図３】保持部材の一例を図解的に示す拡大概略側面図である。
【図４】保持部材のその他の例を図解的に示す拡大概略側面図である。
【図５】保持部材のその他の例を図解的に示す拡大概略側面図である。
【図６】保持部材のその他の例を図解的に示す拡大概略側面図である。
【符号の説明】
３      原稿読取り装置
１６      ガイド台
１７Ｌ，１７Ｒ      幅規制板
４０Ｌ，４０Ｒ      保持部材
４０２Ｌ，４０２Ｒ      保持部材
４０３Ｌ，４０３Ｒ      保持部材
４０４Ｌ，４０４Ｒ      保持部材
Ｄ      原稿
【図１】
0003689684.tif 000002
【図２】
0003689684.tif 000003
【図３】
0003689684.tif 000004
【図４】
0003689684.tif 000005
【図５】
0003689684.tif 000006
【図６】
0003689684.tif 000007